(57)【要約】【課題】マナーモード設定時に、緊急に報知したい情報を利用者により確実に知らせることを課題とする。【解決手段】電子メールを送受信する通信部と、前記電子メールのうち、緊急に通知したい情報を含む重要メールが受信されたか否かを確認する重要メール確認部と、前記重要メールの送信および受信を許可する相手先のユーザ情報を予め設定した受信許可リストを記憶する記憶部と、音を出力する音出力部と、前記重要メール確認部が重要メールの受信を確認し、かつその重要メールを送信してきた送信元が、前記受信許可リストに設定された相手先に含まれるという第１条件が成立した場合、前記音出力部から、重要メールを受信したことを示す重要メール受信音を出力させる受信音出力制御部とを備えること。【選択図】図２
2014060516.tif 000002
【特許請求の範囲】
【請求項１】
電子メールを送受信する通信部と、
前記電子メールのうち、緊急に通知したい情報を含む重要メールが受信されたか否かを確認する重要メール確認部と、
前記重要メールの送信および受信を許可する相手先のユーザ情報を予め設定した受信許可リストを記憶する記憶部と、
音を出力する音出力部と、
前記重要メール確認部が重要メールの受信を確認し、かつその重要メールを送信してきた送信元が、前記受信許可リストに設定された相手先に含まれるという第１条件が成立した場合、前記音出力部から、重要メールを受信したことを示す重要メール受信音を出力させる受信音出力制御部とを備えることを特徴とする情報通信装置。
【請求項２】
前記重要メールに、緊急通報をする相手を特定するための認証コードが含まれており、
前記第１条件が成立する場合は、前記受信した重要メールに含まれる認証コードを付加した返信メールを生成し、前記通信部を介して、前記返信メールを、前記重要メールを送信してきた送信元に送信する返信メール生成部をさらに備えることを特徴とする請求項１に記載の情報通信装置。
【請求項３】
所定の災害または危険を報知するための緊急メールが受信されたか否かを確認する緊急メール確認部と、
前記緊急メールが受信されたことを確認した場合、前記認証コードを付加した重要メールを生成し、前記通信部を介して、前記重要メールを、前記受信許可リストに含まれる相手先に送信する重要メール生成部とを、さらに備えたことを特徴とする請求項２に記載の情報通信装置。
【請求項４】
前記緊急メールを受信した場合、前記受信音出力制御部が、前記音出力部から緊急メール受信音を出力することを特徴とする請求項３に記載の情報通信装置。
【請求項５】
前記重要メール生成部が前記認証コードＡを付加した重要メールを送信した後、前記重要メールに対する返信メールが受信されたか否かを確認する返信メール確認部を備え、
前記返信メールが受信されたことを確認した場合、その受信された返信メールの送信元が前記受信許可リストに含まれ、かつ前記受信された返信メールに含まれる認証コードＢが前記送信された重要メールに付加された認証コードＡに一致するという第２条件が成立した場合は、前記受信音出力制御部が、前記音出力部から返信メール受信音を出力することを特徴とする請求項３または４に記載の情報通信装置。
【請求項６】
前記認証コードは、前記重要メールを生成するごとに新たに生成されることを特徴とする請求項３ないし５のいずれかに記載の情報通信装置。
【請求項７】
前記記憶部に、電子メールの受信時に、その電子メールを受信したことを示す音を出力するか否かを設定するモード設定情報を記憶し、
前記モード設定情報が音を出力しないマナーモードに設定されている場合であったとしても、前記第１条件が成立する場合は、前記音出力部から重要メール受信音を出力することを特徴とする請求項１ないし６のいずれかに記載の情報通信装置。
【請求項８】
電子メールを送受信する通信部と、
前記電子メールのうち、緊急に通知したい情報を含む重要メールが受信されたか否かを確認する重要メール確認部と、
前記重要メールの送信および受信を許可する相手先のユーザ情報を予め設定した受信許可リストを記憶する記憶部と、
報知部とを備え、
前記重要メール確認部が重要メールの受信を確認し、かつその重要メールを送信してきた送信元が、前記受信許可リストに設定された相手先に含まれるという第１条件が成立した場合、前記報知部が、音、振動、光、におい、熱および表示のうち少なくともいずれか一つ以上の手段を用いて、重要メールを受信したことを利用者に知らせることを特徴とする情報通信装置。
【発明の詳細な説明】
【技術分野】
【０００１】
この発明は、情報通信装置に関し、特に、情報通信装置間で送受信される電子メールのうち、重要なメールが受信されたことを利用者に確実に報知することが可能な情報通信装置に関する。
【背景技術】
【０００２】
従来から利用されている携帯電話などの情報通信装置では、電子メール送受信機能や通話機能を有し、特定の相手先に対し、必要な情報を文字や音声で通知している。
一方、電子メールや通話の着信を受ける側の情報通信装置では、その着信があったことを、音、光、振動および表示などの出力手段を利用して、利用者に知らせている。
また、利用者が、着信音を出力することが他人の迷惑となるような場所にいる場合などでは、着信音を鳴動させず、主として、振動や表示によって着信が通知されるように、マナーモードに設定される。
【０００３】
しかし、マナーモードに設定されている場合、着信音が鳴らないので、緊急地震速報などの緊急メールを受信したとしても、利用者がその緊急メールに気づかない場合があった。また、音を出力することが、緊急メール等の着信に気づく可能性が高いと考えられる。
そこで、緊急メールを受信した場合には、マナーモードを解除して、着信音を鳴動させる技術が提案されている。
【０００４】
たとえば、特許文献１には、利用者の自宅に設置された監視装置から緊急状態の発生を示す監視情報が監視センタに送信された場合、監視センタから利用者の携帯電話に、緊急性が高い旨を示す緊急制御情報を付加した監視情報を電子メールによって送信し、その電子メールを着信した携帯電話では、緊急制御情報を確認した場合は、設定されたマナーモードに拘束されることなく、音、画像および振動を用いて、緊急性の高い着信を受けたことを通知する監視システムが提案されている。
【０００５】
また、特許文献２には、マナーモードに設定されている受信側携帯電話機が、送信側携帯電話機から、報知要求キーワードを含む電子メールを受信した場合、発行した暗証番号を含む電子メールを送信側携帯電話機に送信した後、送信側携帯電話機から上記暗証番号を含む電子メールを受信したとき、受信した暗証番号が発行された暗証番号に一致する場合には、着信音を鳴らすなど、報知方法を変更する携帯電子機器が提案されている。
【０００６】
また、特許文献３には、マナーモードが設定されている状態で着信があった場合、音声キーワードまたは暗証番号の入力を要求するアナウンスを、発信側の携帯電話機に送信した後、発信側の携帯電話機から上記音声キーワードが送信されるか、あるいは発信者毎に設定された暗証番号を含む電子メールが送信されてきた場合、予めメモリに記憶されている音声キーワードまたは暗証番号と、送信されてきた音声キーワードまたは暗証番号とが、一致したとき、マナーモードを解除して着信音を鳴動させる携帯電話機が提案されている。
【先行技術文献】
【特許文献】
【０００７】
【特許文献１】特開２００４−３４３４７５号公報
【特許文献２】特開２０１１−９７３０２号公報
【特許文献３】特開２００４−２８２６５１号公報
【発明の概要】
【発明が解決しようとする課題】
【０００８】
しかし、特許文献１のシステムでは、防犯センサなどの監視情報を監視センタが受信したときに、マナーモードを解除するための緊急制御情報を付加した電子メールを、監視センタから携帯電話に一方的に送信することによりマナーモードを解除するものであり、携帯電話相互間での電子メールの送受信により、マナーモードを解除することはできない。
【０００９】
また、特許文献２および３の携帯電話機等では、発信側から着信側へ電子メールの１回目の送信があり、着信側の携帯電話機等から、発信側に対して暗証番号等の入力を要求する電子メール等を送信した後、発信側から送信されてくるその暗証番号等を含む電子メール等を受信した後にマナーモードが解除されるので、少なくとも発信側から２回の電子メール等の送信処理をしなければならず、マナーモード解除のための一連の処理が複雑である。
【００１０】
そこで、この発明は、以上のような事情を考慮してなされたものであり、緊急に相手に確認してほしい重要メールおよび返信メールを、２つの情報通信装置の相互間で、より確実に報知することができるようにすることを課題とする。
【課題を解決するための手段】
【００１１】
この発明は、電子メールを送受信する通信部と、前記電子メールのうち、緊急に通知したい情報を含む重要メールが受信されたか否かを確認する重要メール確認部と、前記重要メールの送信および受信を許可する相手先のユーザ情報を予め設定した受信許可リストを記憶する記憶部と、音を出力する音出力部と、前記重要メール確認部が重要メールの受信を確認し、かつその重要メールを送信してきた送信元が、前記受信許可リストに設定された相手先に含まれるという第１条件が成立した場合、前記音出力部から、重要メールを受信したことを示す重要メール受信音を出力させる受信音出力制御部とを備えることを特徴とする情報通信装置を提供するものである。
これによれば、受信許可リストに予め設定された相手先から送信された重要メールが受信された場合にのみ、重要メール受信音を出力させるので、緊急時において真に連絡を取りたい相手先から送信されてきた重要メールが受信されたことを、より確実に利用者に知らせることができる。
【００１２】
また、前記記憶部に、電子メールの受信時に、その電子メールを受信したことを示す音を出力するか否かを設定するモード設定情報を記憶し、前記モード設定情報が音を出力しないマナーモードに設定されている場合であったとしても、前記第１条件が成立する場合は、前記音出力部から重要メール受信音を出力することを特徴とする。
これによれば、音を出力しないマナーモードに設定されている場合であったとしても、上記第１条件が成立する場合に、重要メール受信音を出力するので、緊急時に送信されてくる緊急に通知したい情報を、利用者に確実に知らせることができる。
【００１３】
また、前記重要メールに、緊急通報をする相手を特定するための認証コードが含まれており、前記第１条件が成立する場合は、前記受信した重要メールに含まれる認証コードを付加した返信メールを生成し、前記通信部を介して、前記返信メールを、前記重要メールを送信してきた送信元に送信する返信メール生成部をさらに備えることを特徴とする。
これによれば、上記第１条件が成立する場合に、重要メールを送信してきた送信元に返信メールを送信するので、緊急時に真に連絡を取りたい相手である送信元に、返信メールによって所望の情報を送信することができる。
【００１４】
また、所定の災害または危険を報知するための緊急メールが受信されたか否かを確認する緊急メール確認部と、前記緊急メールが受信されたことを確認した場合、前記認証コードを付加した重要メールを生成し、前記通信部を介して、前記重要メールを、前記受信許可リストに含まれる相手先に送信する重要メール生成部とを、さらに備えたことを特徴とする。
これによれば、緊急メールが受信された場合に、受信許可リストに含まれる相手先に重要メールを送信するので、緊急時に、緊急メールによって報知された情報を、重要メールによって、受信許可リストに予め設定された真に連絡を取りたい相手先に送信することができる。
【００１５】
また、前記緊急メールを受信した場合、前記受信音出力制御部が、前記音出力部から緊急メール受信音を出力することを特徴とする。
これによれば、緊急メールを受信した場合に、緊急メール受信音を出力するので、利用者は、音により緊急メールが受信されたことを知ることができ、緊急時に報知される情報をより確実に確認することができる。
【００１６】
また、前記重要メール生成部が、前記認証コードＡを付加した重要メールを送信した後、前記重要メールに対する返信メールが受信されたか否かを確認する返信メール確認部を備え、前記返信メールが受信されたことを確認した場合、その受信された返信メールの送信元が前記受信許可リストに含まれ、かつ前記受信された返信メールに含まれる認証コードＢが前記送信された重要メールに付加された認証コードＡに一致するという第２条件が成立した場合は、前記受信音出力制御部が、前記音出力部から返信メール受信音を出力することを特徴とする。
これによれば、重要メールに対する返信メールを受信し、上記第２条件が成立する場合に、返信メール受信音を出力するので、緊急時に、真に連絡をとりたい相手先からの情報を、より確実に確認することができる。
【００１７】
また、前記認証コードは、前記重要メールを生成するごとに新たに生成されるようにしてもよい。
【００１８】
また、この発明は、電子メールを送受信する通信部と、前記電子メールのうち、緊急に通知したい情報を含む重要メールが受信されたか否かを確認する重要メール確認部と、前記重要メールの送信および受信を許可する相手先のユーザ情報を予め設定した受信許可リストを記憶する記憶部と、報知部とを備え、前記重要メール確認部が重要メールの受信を確認し、かつその重要メールを送信してきた送信元が、前記受信許可リストに設定された相手先に含まれるという第１条件が成立した場合、前記報知部が、音、振動、光、におい、熱および表示のうち少なくともいずれか一つ以上の手段を用いて、重要メールを受信したことを利用者に知らせることを特徴とする情報通信装置を提供するものである。
【発明の効果】
【００１９】
この発明によれば、重要メールの受信を確認し、重要メールを送信してきた送信元が、受信許可リストに設定された相手先に含まれる場合に、音出力部から、重要メール受信音を出力させるので、緊急に報知したい情報を、より確実に利用者に知らせることができる。
【図面の簡単な説明】
【００２０】
【図１】この発明の情報通信装置の一実施例の構成ブロック図である。
【図２】この発明の情報通信装置（端末）間における電子メールの送受信処理の一実施例のシーケンス図である。
【図３】この発明の緊急メールの受信処理等の一実施例のフローチャートである。
【図４】この発明の重要メールの受信処理等の一実施例のフローチャートである。
【図５】この発明の緊急メールの受信処理の他の実施例のフローチャートである。
【発明を実施するための形態】
【００２１】
以下、図に示す実施例に基づいて、この発明を説明する。
なお、これによって、この発明が限定されるものではない。
【００２２】
＜この発明の情報通信装置の構成＞
図１に、この発明の情報通信装置の一実施例の構成ブロック図を示す。
この発明の情報通信装置は、主として無線通信により情報の送受信や、通話を行う携帯性を有する通信装置であり、たとえば、電子メールの送受信機能、着信報知機能を有する。
以下、情報通信装置を、単に、端末とも呼ぶ。
【００２３】
制御部１１は、この発明の情報通信装置が有する各種機能を実行する部分であり、主として、ＣＰＵ，ＲＯＭ，ＲＡＭ，Ｉ／Ｏコントローラ、タイマー等からなるマイクロコンピュータにより実現される。
また、ＲＯＭ等に記録された制御プログラムに基づいて、ＣＰＵが各種ハードウェアを動作させることによって、この発明の情報通信装置の電子メール送受信機能等を実現する。
【００２４】
入力部１２は、各種情報の入力や、電子メールの送受信および機能選択などの設定入力を行う部分であり、たとえば、キーボード１２−１，マウス１２−２，タッチパネル１２−３などが利用される。
【００２５】
通信部１３は、ＬＡＮやＷＡＮなどのネットワークを介して、他の情報通信装置等との間で情報の送受信を行う部分である。この発明では、主として、電子メールの送受信、警報発信サーバからの緊急メールの受信などを行う。
表示部１４は、この発明で利用される情報を表示する部分であり、たとえば、電子メールの表示、モード設定などの設定情報の表示を行う部分であり、ＬＣＤ、有機ディスプレイなどが用いられる。
【００２６】
音入力部１５は、通話を行うときに音声を入力する部分であり、マイクが用いられる。
音出力部１６は、音を出力する部分であり、たとえば通話音声、受信音、着信音などを出力する部分であり、スピーカが用いられる。
報知部１７は、緊急メール、重要メール、返信メール等を含む電子メールを受信した場合や、通話を着信したときに、その受信や着信を、利用者に知らせる部分である。報知の方法としては、振動や光が用いられる。また、別の機能として図示した表示部１４と音出力部１６も、報知部１７に含めることができる。
後述するように、緊急メール受信音、重要メール受信音、返信メール受信音などを用いた音出力部１６からの音による報知、端末本体を振動させることによる報知、ＬＥＤを点灯あるいは点滅させることによる報知、文字、図形あるいは画像等を用いた表示による報知などをすることができる。
【００２７】
また、緊急メールや重要メール等を受信したことを利用者に知らせる方法としては、上記の報知方法に限るものではなく、他の報知方法を用いてもよい。たとえば、スピーカ口やマイク口からにおいを発することによる報知（本体内部に予め匂い液や匂い剤を入れておく）、本体背面部の熱を一時的に上げることによる報知、レシーバ口から緊急メールや重要メール等を受信したことを利用者に知らせるメッセージを流すことによる報知（通常の通話中、IP電話中等に割り込み着信動作をさせる）、この発明の情報通信装置以外の他のデバイス（たとえば、近距離無線通信が可能なヘッドセット、腕時計など）への情報通信による報知をしてもよい。
これらの報知方法のうち、いずれの報知を利用するかは、利用者が自らの意思で設定できるようにしてもよく、また、使用状況や周囲の環境等に応じて、確実に利用者に知らせることのできるものを採用すればよい。
【００２８】
受信音出力制御部２０は、音出力部１６から出力される受信音の出力の可否や、出力される音量などを制御する部分である。たとえば、後述するように、緊急メールを受信した場合は、モード設定の設定内容にかかわらず、音出力部１６から、常に緊急メールを受信したことを示す受信音（緊急メール受信音）を出力させる。
【００２９】
緊急メール確認部２１は、受信した電子メールが緊急メールか否かを確認する部分である。この発明において、緊急メールは、所定の災害や危険を報知するための電子メールであり、図２に示す警報発信サーバ１００から送信される重要度の高い電子メールを意味するものとする。
警報発信サーバ１００とは、気象、地震、災害等についての情報を収集し、緊急に報知すべき情報を広く公衆に送信する通信装置である。
【００３０】
緊急メール１０１としては、図２に示すように、たとえば、地震速報１０２、災害避難情報１０３、大雨警報１０４、津波警報１０５などがある。
緊急メールを受信したか否かは、たとえば、電子メールの所定のフォーマットのうち特定の位置に、予め設定された緊急を意味するデータの有無を確認することにより行えばよい。特定の位置とは、メールのヘッダ部分、メールの件名（タイトル）、文の先頭や最後尾などの決まった位置や、文中の特定の語句の後などであり、緊急メールの特定用にいずれの位置を用いるかは、予め設定しておけばよい。
【００３１】
重要メール生成部２２は、後述するように、緊急メールを受信した端末において、重要メールを生成し、他の特定の端末に送信する部分である。
ここで、重要メールとは、電子メールのうち、緊急に通知したい情報を含む電子メールであり、認証コードが付加された電子メールを意味する。
認証コードとは、緊急通報をする相手を特定するための情報であり、一時的にマナーモードを解除するために用いる情報でもある。この認証コードを含む重要メールを受信した端末や、その重要メールを受信した端末から送信される同一の認証コードを含む返信メールを受信した端末において、それらのメールの送信元の端末から送信されるメールの受信が許可されている場合は、強制的にマナーモードを解除して、受信音を出力させる。
【００３２】
また、緊急メールが受信されたことを確認した場合、重要メール生成部２２は、認証コードを付加した重要メールを生成し、通信部１３を介して、生成された重要メールを、後述する受信許可リストに含まれる相手先に送信する。
重要メールは、通常の電子メールの１つであるが、メールのヘッダ部分や、件名（タイトル）、先頭や最後尾などの決まった位置や、文中の特定の語句の後などの所定の位置に認証コードを付加して生成される。認証コードの内容は、特に限定するものではないが、具体的には、たとえば、数字・記号、アルファベット、これらの組み合わせのようなデータが用いられる。
【００３３】
重要メール確認部２３は、受信した電子メールのうち、緊急に通知したい情報を含む重要メールが受信されたか否かを確認する部分である。重要メールが受信されたか否かは、たとえば、受信メールの中の所定の位置に付加された認証コードの有無を確認することにより行われる。
重要メール確認部２３が重要メールの受信を確認し、さらに、その重要メールを送信してきた送信元が、後述する受信許可リストに設定された相手先に含まれるという第１条件が成立した場合、上記受信音出力制御部２０は、音出力部１６から、重要メールを受信したことを示す重要メール受信音を出力させる。
【００３４】
返信メール生成部２４は、受信した重要メールに対する返信メールを生成し、重要メールを受信した端末から、重要メールの送信元へその返信メールを送信する部分である。返信メールは、通常の電子メールと同様の形式のメールであるが、メールのヘッダ、件名（タイトル）、先頭や最後尾などの決まった位置や、文中の特定の語句の後などの所定の位置に、重要メールの返信である旨と、重要メールに含まれていた認証コードと同一の認証コードとが付加される。
また、返信メール生成部２４は、重要メールに認証コードが含まれており、上記した第１条件が成立する場合は、受信した重要メールに含まれる認証コードを付加した返信メールを生成し、通信部１３を介して、生成した返信メールを、重要メールを送信してきた送信元に送信する。
【００３５】
返信メール確認部２５は、受信したメールが返信メールか否かを確認する部分である。具体的には、認証コードを付加した重要メールを送信した後、その重要メールに対する返信メールが受信されたか否かを確認する部分である。返信メールであるか否かは、たとえば、所定の位置に付加された返信である旨と、認証コードの有無を確認することにより行われる。
また、返信メール確認部２５が、返信メールが受信されたことを確認した場合、その受信された返信メールの送信元が、受信許可リストに含まれ、かつ受信された返信メールに含まれる認証コードＢが、送信された重要メールに付加された認証コードＡに一致するという第２条件が成立した場合は、受信音出力制御部２０が、音出力部１６から、返信メールを受信したことを示す返信メール受信音を出力する。
【００３６】
記憶部３０は、この発明の各種機能を実行するために用いられる情報、予め設定される情報、条件、プログラムなどを記憶する部分である。記憶部３０としては、ＲＡＭ，ＲＯＭ，フラッシュメモリ等の半導体記憶素子の他に、ハードディスク、ＳＳＤ，その他の記憶媒体が用いられる。
記憶部３０に記憶される情報としては、たとえば、受信許可リスト３１，モード設定３２，認証コード３３，受信メール３４，送信メール３５，上記の設定内容などがある。
【００３７】
受信許可リスト３１は、地震が発生したような緊急時に、重要メールの送信および受信を許可する相手先（送信先）のユーザ情報を予め設定したリストである。
たとえば、受信許可リスト３１に登録された相手先から送信された重要メールを受信した場合は、利用者に重要メールを受信したことを確実に知らせるために、マナーモードの設定の有無にかかわらず、重要メール受信音を出力する。
また、重要メールを送信しようとする場合、受信許可リスト３１を確認し、そのリストに登録されている相手先に重要メールを送信するものとする。
【００３８】
受信許可リスト３１には、相手先を特定するためのユーザ情報が予め記憶される。ユーザ情報は、１つだけでなく、２以上記憶してもよい。ユーザ情報とは、たとえば、ユーザ名３１−１，電話番号３１−２，メールアドレス３１−３から構成される。
重要メールを送信する場合は、記憶部３０に記憶されたユーザ情報を利用し、メールアドレス３１−３を送信あて先に設定して送信する。
【００３９】
モード設定３２は、端末に受信した電子メール等の報知方法を設定する情報であり、具体的には、電子メールの受信時に、その電子メールを受信したことを示す音を出力するか否かを設定する情報である。たとえば、音を出力しないマナーモード３２−１と、音を出力する鳴動モード３２−２とがある。
マナーモード３２−１は、電話の着信や電子メールの受信等を、音で報知するのではなく、主として、少なくとも振動、光、表示のうち、いずれか１つ、あるいは振動、光、表示のうち、２つ以上の組合せによって利用者に報知するモードである。
【００４０】
鳴動モード３２−２は、電話の着信や電子メールの受信等を、少なくとも音を利用して利用者に報知するモードである。
また、鳴動モード３２−２では、音以外に、振動、光および表示のいずれか１つあるいは２つ以上を組み合わせて報知してもよい。
【００４１】
従って、マナーモード３２−１に設定されている場合は、原則として、電話の着信やメールの受信があったとしても、着信音や受信音による報知は行われない。
ただし、マナーモード３２−１に設定されている場合において、後述するように、緊急メール、重要メールあるいは返信メールを受信した場合のように、特定の条件を満たす場合は、マナーモード３２−１であったとしても、音による報知を行うものとする。
たとえば、モード設定情報３２が、音を出力しないマナーモード３２−１に設定されている場合であったとしても、上記第１条件が成立する場合は、音出力部１６から、重要メール受信音を出力する。
【００４２】
認証コード３３は、上記したように、重要メールを生成するときに、その重要メールに付加されるデータであり、重要メールに対する返信メールにも付加されるデータである。
認証コード３３は、重要メールを生成する端末の記憶部３０に記憶される情報であるが、その端末固有の情報として予め固定的に設定しておいてもよい。あるいは、認証コード３３は、重要メールを生成するごとに、その都度新たに生成されるようにしてもよい。
【００４３】
新たに認証コード３３を生成する場合は、たとえば、メールアドレス、電話番号などを用いて生成すればよい。認証コード３３の１つの具体例としては、上記したように、電話番号のようなデータが生成される。
【００４４】
受信メール３４は、他の端末から送られてきた電子メールを記憶したものである。
送信メール３５は、生成された電子メールを記憶したものである。
記憶部３０には、上記情報以外にも、必要に応じて、端末の機能を実現する上で必要な情報が記憶される。
【００４５】
＜この発明の電子メールの送受信とその報知処理＞
図２に、緊急メールを受信した場合において、２つの端末間で電子メールを送受信する場合のシーケンス図の一実施例を示す。
【００４６】
ここでは、２つの端末（Ａ，Ｂ）と、警報発信サーバ１００とから構成され、警報発信サーバ１００から送信された緊急メール１０１が、端末Ｂに受信される場合を示す。
また、それぞれの端末（Ａ，Ｂ）には、受信許可リスト（ａ１，ｂ１）が予め設定され、端末Ａの受信許可リストａ１には、端末Ｂの利用者のユーザ情報が記憶され、端末Ｂの受信許可リストｂ１には、端末Ａの利用者のユーザ情報が記憶されているものとする。
【００４７】
さらに、どちらの端末（Ａ，Ｂ）も、現在、マナーモード（ａ２，ｂ２）に設定されているものとする。従って、どちらの端末（Ａ，Ｂ）も、通常の電子メールを受信したとしても、音による報知は行わない。
たとえば、端末Ａにおいて、端末Ｂから重要メールでない通常の電子メールを受信した場合、端末Ｂ以外の他の端末（Ｃ，Ｄ，・・・）から重要メールを含む電子メールを受信した場合は、音による報知を行わず、その他の手段（振動、光、表示など）を用いた報知が行われる。
【００４８】
まず、図２のステップｃ１において、警報発信サーバ１００から、緊急メール１０１が、端末Ｂに対して送信されたとする。緊急メール１０１としては、たとえば、地震速報１０２，災害避難情報１０３，大雨警報１０４，津波警報１０５など、緊急性を要する情報を連絡するためのメールであればよい。
また、緊急メール１０１のヘッダ部分の所定の位置あるいは件名（タイトル）に、「緊急」を意味するデータが設定されているものとする。
【００４９】
端末Ｂは、ステップｂ３において、この緊急メール１０１を受信する。緊急メール確認部２１が、受信したメールのヘッダ部分を確認することにより、受信メールが、緊急メールであることが確認される。
【００５０】
次に、ステップｂ４において、端末Ｂの受信許可リスト３１を確認し、重要メールを送信する相手のユーザ情報を取得する。
ステップｂ５において、重要メール生成部２２が、取得したユーザ情報の中のメールアドレス３１−３を送信先とする重要メールを生成する。
【００５１】
取得したユーザ情報が複数ある場合は、その複数の相手先すべてに対して送信する重要メールを生成する。重要メールには、記憶部３０に記憶されている認証コード３３を付加する。認証コード３３は、たとえば、件名（タイトル）の中に含めればよい。
【００５２】
ステップｂ６において、生成した重要メールを、取得したユーザ情報のメールアドレスの相手先に対して送信する。
ステップｂ７において、端末Ｂにおいて、緊急メールは、端末Ｂの利用者に必ず確認してもらうべきものなので、マナーモード等の設定モードにかかわらず、強制的に緊急メールを受信したことを示す緊急メール用の受信音をスピーカ１６から出力する。
【００５３】
受信音の鳴動パターンや鳴動時間は、特に限定するものではなく、端末Ｂの利用者が、緊急メールを受信したことがわかるようなものに予め設定しておいてもよい。
また、音声で、「緊急メールを受信しました」というような内容のメッセージを報知してもよい。さらに、マナーモードのときに利用する他の報知手段（振動、光、表示）を用いた報知をしてもよい。
【００５４】
次に、端末Ａのステップａ３において、端末Ｂから送信された重要メールを受信する。
ここで、重要メール確認部２３が、受信メールの件名（タイトル）をチェックすることにより、認証コードが含まれているか否かを確認し、認証コードに相当するデータが含まれている場合は、受信メールを重要メールと判断する。その認証コードは、記憶部３０に一時記憶しておく。
【００５５】
ステップａ４において、端末Ａの受信許可リスト３１を確認する。
ここで、受信した重要メールの送信元のユーザ情報（メールアドレス）が、受信許可リスト３１に登録されているか否かをチェックする。
登録されている場合は、ステップａ５において、重要メールを受信したことを示す重要メール用の受信音をスピーカ１６から出力する。
これは、上記第１条件が成立した場合に、重要メール受信音を出力することに相当する。重要メール用の受信音の鳴動パターンなども、端末Ａの利用者が予め設定しておけばよい。
また、音声で、重要メールを受信したことを示すメッセージを出力してもよく、マナーモードのときに行う他の報知手段（振動、光、表示）による報知をしてもよい。
【００５６】
ステップａ６において、端末Ａの利用者が、受信した重要メールに対する返信メールを生成する。このとき、返信メール生成部２４は、記憶部３０に記憶しておいた認証コードを、返信メールに付加する。
認証コードは、たとえば、返信メールの件名（タイトル）の中に付加する。あるいは、利用者が、入力部１２によって、件名の中に直接入力してもよい。
ステップａ７において、生成された返信メールを、端末Ｂに送信する。
【００５７】
次に、端末Ｂのステップｂ８において、端末Ａからの返信メールを受信する。
ここで、返信メール確認部２５が、返信メールの件名（タイトル）部分をチェックすることにより、認証コードが含まれているか否かを確認する。
受信した電子メールに含まれている認証コードが、ステップｂ５で生成した重要メールに付加された認証コードと一致する場合は、その重要メールに対する返信メールを受信したと判断し、ステップｂ９へ進む。
【００５８】
ステップｂ９において、端末Ｂの受信許可リスト３１を確認し、受信許可リストに登録されているユーザ情報の中に、受信した返信メールの送信元のユーザ情報（メールアドレス）と一致するものがあるか否かをチェックする。
ユーザ情報が一致すれば、その返信メールの受信を許可する。
すなわち、認証コードと受信許可リストの確認の結果、受信した電子メールの中の認証コードと送信元とが正常なものであると判断された場合、ステップｂ１０において、返信メールが受信されたことを利用者に確実に知らせるために、返信メール用の受信音を、スピーカ１６から出力させる。
これは、上記第２条件が成立した場合に、返信メール受信音を出力することに相当する。
【００５９】
返信メール用の受信音も、利用者が予め設定した鳴動パターンや音量で出力すればよい。また、音声を用いて、返信があったことを示すメッセージを出力してもよい。さらに、マナーモードの場合に行う報知手段（振動、光、表示）を用いた報知を行ってもよい。
【００６０】
以上のように、マナーモードに設定していたとしても、緊急メールを受信した場合、および所定の条件を満たす重要メールを受信した場合、所定の条件を満たす返信メールを受信した場合において、マナーモードを一旦解除し、音による報知を強制的に行うので、それぞれのメールが受信されたことをより確実に利用者に知らせることができる。
【００６１】
＜緊急メールの受信、重要メールの送信、返信メールの受信処理＞
図３に、図２に示した端末Ｂにおける電子メールの送受信処理の一実施例のフローチャートを示す。
ここで、端末Ｂは、図２に示した実施例のように、緊急メールの受信、重要メールの送信、返信メールの受信の一連の処理を行うものとする。ただし、端末Ｂも、重要メールを受信する場合があるが、説明をわかりやすくするために、重要メールの受信処理は省略している。
【００６２】
図３のステップＳ１において、制御部１１が、所定の設定画面を表示部１４に表示させ、キーボード等の入力部１２による設定入力を受理して、受信許可リスト３１の設定を行う。
ここで、利用者に、重要メールおよび返信メールの受信および送信を許可したい相手先のユーザ情報（ユーザ名、電話番号、メールアドレス）を入力してもらう。
【００６３】
ステップＳ２において、電子メールの受信時の報知方法の設定を行う。
ここでは、記憶部３０のモード設定３２として、マナーモード３２−１に設定されたとする。鳴動モード３２−２に設定した場合は、以下の処理をする必要はなく、電子メールを受信した場合は、音による報知を行えばよい。
【００６４】
ステップＳ３において、制御部１１が、通信部１３によって電子メールを受信したか否かをチェックする。電子メールを受信していない場合は、ステップＳ３をループし、受信した場合は、ステップＳ４へ進む。
【００６５】
ステップＳ４において、受信メールの内容を確認する。特に、受信メールが、「緊急メール」、「重要メール」、「返信メール」のいずれであるかをチェックするために、所定の情報が含まれている可能性のあるメールのヘッダ部分や件名（タイトル）などの内容を確認する。
【００６６】
ステップＳ５において、受信メールの内容を確認した結果、緊急メール確認部２１が、緊急メールを受信したか否かを判断する。受信メールの所定の位置に、緊急であることを示す情報が含まれている場合は、その受信メールを緊急メールと判断する。
緊急メールを受信した場合はステップＳ８へ進み、そうでない場合は、ステップＳ６へ進む。
【００６７】
ステップＳ６において、受信メールは緊急メールでなく、通常の電子メールであったとすると、マナーモードとして予め設定されている振動による受信報知を行う。ただし、受信があったことを振動によって報知するだけでなく、光や表示によって報知してもよい。
【００６８】
ステップＳ７において、その他のメール受信処理を行い、ステップＳ１へ戻る。
ここでは、電子メールを受信したことに伴って、要求された他の処理、たとえば、メール内容の表示や、アプリケーションプログラムの起動などを行えばよい。必要なければ、特に何も行わなくてもよい。
【００６９】
ステップＳ８において、緊急メールを受信したので、マナーモードに設定されていたとしても、緊急を要するメールを受信したことを知らせるために、受信音出力制御部２０が緊急メール受信音を、スピーカ１６から出力する。
【００７０】
ステップＳ９において、受信許可リスト３１の中にユーザ情報があるか否かを確認する。
ステップＳ１０において、受信許可リスト３１に、ユーザ情報が１つ以上ある場合は、ステップＳ１１へ進み、ない場合はステップＳ１へ戻る。
【００７１】
ステップＳ１１において、重要メール生成部２２が、重要メールを生成する。
ここで、重要メールの所定の位置に、認証コード３３を付加する。認証コード３３は、記憶部３０に予め記憶されているデータを用いてもよく、あるいは、重要メールの送信先ごとに生成した異なるデータを用いてもよい。
受信許可リスト３１に、２以上のユーザ情報が存在する場合は、各ユーザ情報のメールアドレスを、それぞれ送信先に設定した重要メールを生成する。
ステップＳ１２において、通信部１３を介して、生成した重要メールを送信する。
【００７２】
ステップＳ１３において、返信メール確認部２５が、返信メールを受信したか否かをチェックする。返信メールか否かは、たとえば、電子メールの件名（タイトル）に返信を意味する情報が含まれているか否かをチェックすることにより行えばよい。
返信メールを受信した場合はステップＳ１４へ進み、そうでない場合は、ステップＳ１３をループする。
【００７３】
ステップＳ１４において、受信許可リストと認証コードとを確認し、返信メールがこの端末Ｂが送信した重要メールに対するものであるか否かをチェックする。
ここでは、まず、受信した返信メールの送信元が、受信許可リスト３１のユーザ情報に含まれているか否かをチェックする。
また、受信した返信メールに含まれている認証コードが、記憶部３０に記憶され送信した重要メールに付加されていた認証コード３３に一致するか否かをチェックする。
【００７４】
ステップＳ１５において、返信メールの送信元が受信許可リストのユーザ情報に含まれ、かつ受信した認証コードが記憶されている認証コード３３に一致する場合は、ステップＳ１６へ進み、そうでない場合はステップＳ１７へ進む。
【００７５】
ステップＳ１６において、返信メールを受信したことをより確実に知らせるために、受信音出力制御部２０が、返信メール受信音をスピーカ１６から出力する。その後、ステップＳ１へ戻る。
ステップＳ１７において、マナーモードで行うべき報知手段による受信報知を行う。たとえば、振動による受信報知を行う。その後、ステップＳ１へ戻る。
【００７６】
以上のように、マナーモードに設定されている場合において、緊急メールを受信した場合と、重要メールに対する返信メールを受信した場合は、マナーモードを一時的に解除し、音による報知を行うので、緊急に確認することを要する電子メール（緊急メール、返信メール）を受信したことをより確実かつ迅速に利用者に知らせることができ、利用者がそのような緊急性の高い受信メールに気づく可能性を高めることができる。
【００７７】
＜重要メールの受信、返信メールの送信処理＞
図４に、図２に示した端末Ａにおける電子メールの送受信処理の一実施例のフローチャートを示す。
ここでは、端末Ａがマナーモードに設定されている状態において、他の端末Ｂから重要メールを受信してその受信音を出力した後、端末Ｂへ返信メールを送信する場合について説明する。
【００７８】
ステップＳ５１において、ステップＳ１と同様に、制御部１１が、受信許可リスト３１の設定を行う。受信許可リスト３１には、重要メールの受信を許可する送信元のユーザ情報が設定される。
すなわち、全ての重要メールを受信するのではなく、重要メールのうち、受信許可リストに予め設定されているユーザ情報の相手先（送信先）から送られてきた重要メールのみ受信を許可する。
たとえば、端末Ａの利用者が、端末Ｂのユーザ情報（ユーザ名、電話番号、メールアドレス）を設定入力する。
【００７９】
ステップＳ５２において、端末Ａの電子メールの受信時の報知方法の設定（モード設定）が行われる。ここでは、端末Ａのモード設定３２が、マナーモード３２−１に設定されたとする。
ステップＳ５３において、制御部１１が、通信部１３によって、電子メールを受信したか否かをチェックする。電子メールを受信していない場合は、ステップＳ５３をループし、受信した場合は、ステップＳ５４へ進む。
【００８０】
ステップＳ５４において、重要メール確認部２３が、受信したメールの内容を確認する。受信メールのヘッダ部分の特定位置、あるいは件名（タイトル）をチェックし、重要メールを意味する情報があるか否かを確認する。
ステップＳ５５において、重要メールを受信したと判断した場合は、ステップＳ５８へ進み、そうでない場合は、ステップＳ５６へ進む。
【００８１】
ステップＳ５６において、ステップＳ６と同様に、現在マナーモードに設定されているので、振動による受信報知を行う。振動だけでなく、光、表示を用いた報知をしてもよい。
ステップＳ５７において、ステップＳ７と同様に、受信したメールの内容に基づいて、その他のメール受信処理をする。その後、ステップＳ１へ戻る。
【００８２】
ステップＳ５８において、重要メール確認部２３が、受信許可リスト３１を確認する。
ここでは、ステップＳ５１において設定した受信許可リスト３１の中に、受信した重要メールの送信元のユーザ情報が含まれているか否かをチェックする。
【００８３】
ステップＳ５９において、受信した重要メールの送信元のユーザ情報が、受信許可リスト３１に設定されている場合は、ステップＳ６０へ進み、設定がされていない場合はステップＳ５１へ戻る。
【００８４】
ステップ６０において、受信音出力制御部２０が、スピーカ１６から、重要メール用の受信音（重要メール受信音）を出力する。すなわち、重要メールが受信されたことを、音によって報知する。ただし、音に加えて、振動、光、表示のいずれか、あるいはこれらの報知手段の組合せを用いて、受信メールがあったことを報知してもよい。
【００８５】
ステップＳ６１において、受信した重要メールから、認証コードを取得する。
ステップＳ６２において、返信メール生成部２４が、取得した認証コードを付加し、受信した重要メールの送信元を送信先アドレスに設定し、返信メールを生成する。
ここで、認証コードは、たとえば、件名（タイトル）の中に付加すればよい。
ステップＳ６３において、通信部１３を介して、生成した返信メールを送信する。その後、ステップＳ５１へ戻る。
【００８６】
以上のように、マナーモードに設定されている端末において、重要メールを受信した場合、その重要メールを送信してきた送信元のユーザ情報が、予め受信許可リスト３１に設定されている場合は、重要メール用の受信音を出力して、重要メールが受信したことを音によって報知させる。
これにより、端末の利用者に、重要メールが受信したことをより確実に気づかせることができる。また、重要メール用の受信音について、その鳴動パターンや鳴動時間は、予め固定的に設定しておいてもよいが、利用者が独自に設定変更できるようにしてもよい。
【００８７】
＜端末Ｂの緊急メールの受信処理の他の実施例＞
図５に、図２の端末Ｂにおける電子メールの送受信処理の他の実施例のフローチャートを示す。
ここで、図３に示したフローチャートのステップと同じ処理をするステップには、同一の番号を付与している。すなわち、ステップＳ１からＳ１７までの処理は、図３のフローチャートと同じ処理であり、ステップＳ３０とＳ３１が追加される点が、図３と異なる。
ステップＳ１０において、受信許可リスト３１の中に、ユーザ情報が１つ以上設定されている場合は、ステップＳ３０へ進む。
【００８８】
ステップＳ３０において、重要メールの送信を許可するか否かを利用者に入力してもらうために、表示部１４に、送信許可の問合せ画面を表示させる。
たとえば、表示部１４に、「受信した緊急メールの内容を含む重要メールを、予め設定された送信先に送信してもよい場合は、ＯＫの表示部分を選択入力して下さい」というような内容の表示をする。
【００８９】
表示部１４には、上記のような文章とともに、「ＯＫ」と「ＮＧ」のアイコン表示をする。
たとえば、タッチパネル１２−３を利用する場合、利用者は、重要メールの送信を許可する場合は、「ＯＫ」の表示部分にタッチし、許可しない場合は、「ＮＧ」の表示部分にタッチする。
【００９０】
表示内容は、上記のものに限ることなく、受信許可リスト３１に設定されているユーザ情報の中のユーザ名なども表示して、利用者にどこに送信するかがわかるように表示してもよい。あるいは、設定されたユーザ情報が複数ある場合は、全ての送信先に送信するのかあるいはしないのか、または送信すべき相手先を個別に選択入力することが可能な選択画面を表示してもよい。
【００９１】
ステップＳ３１において、送信先への重要メールの送信を許可する入力があるか否かをチェックする。送信を許可する入力があった場合は、ステップＳ１１へ進み、許可する入力がなかった場合はステップＳ１へ戻る。
その他の処理については、すでに説明した図３のフローチャートと同様なので、説明を省略する。
【００９２】
図３に示した実施例では、緊急メールを受信した場合は、すぐに自動的に、予め設定された送信先へ重要メールを送信していたが、図５に示した実施例では、利用者に、重要メールの送信の可否を判断してもらい、送信許可を意味する入力があったときに、重要メールを送信する。
従って、図５に示した実施例では、図３の実施例と異なり、端末Bの持ち主が意図して受信許可リストにユーザー情報が入っている人に重要メールの送信許可を与えたコメントという効果がある。
【符号の説明】
【００９３】
１１    制御部
１２    入力部
１２−１    キーボード
１２−２    マウス
１２−３    タッチパネル
１３    通信部
１４    表示部
１５    音入力部（マイク）
１６    音出力部（スピーカ）
１７    報知部
２０    受信音出力制御部
２１    緊急メール確認部
２２    重要メール生成部
２３    重要メール確認部
２４    返信メール生成部
２５    返信メール確認部
３０    記憶部
３１    受信許可リスト
３１−１    ユーザ名
３１−２    電話番号
３１−３    メールアドレス
３２    モード設定
３２−１    マナーモード
３２−２    鳴動モード
３３    認証コード
３４    受信メール
３５    送信メール
【図１】
2014060516.tif 000003
【図２】
2014060516.tif 000004
【図３】
2014060516.tif 000005
【図４】
2014060516.tif 000006
【図５】
2014060516.tif 000007